(57)【要約】【課題】大型のモニター等を昇降自在に支持する際に、この昇降操作を広範囲で安全、且つ確実に行うことができるモニタースタンドを提供する。【解決手段】自立する中空状の支柱１０に薄型のモニターＰを昇降自在に装着したモニタースタンドを設ける。支柱１０の前面に長手方向に沿った開口部１１を形成する。該開口部１１の前面に沿って上下スライド自在に装着されるスライド基盤２０を設ける。一方、支柱１０の内部に昇降装置３０を装着する。該昇降装置３０にスライド基盤２０を連結してスライド基盤２０を昇降自在に支持する。スライド基盤２０の前面にモニターＰを装着する。昇降装置３０は、スライド基盤２０の支持板２１に連結され支柱１０内部に沿って上下移動する連結体３１と、該連結体３１の下部に設けられたガススプリング３２とからなる。【選択図】図１
2007322592.tif 000002
【特許請求の範囲】
【請求項１】
自立する中空状の支柱に薄型のモニターを昇降自在に装着するモニタースタンドにおいて、支柱の前面に長手方向に沿った開口部を形成し、該開口部の前面に沿って上下スライド自在に装着されるスライド基盤を設け、一方、支柱の内部に昇降装置を装着し、該昇降装置にスライド基盤を連結してスライド基盤を昇降自在に支持すると共に、スライド基盤の前面にモニターを装着したこと特徴とするモニタースタンド。
【請求項２】
前記スライド基盤は、前記支柱の開口部前面に沿って設けられた左右一対の支持レールにスライド自在に係合する支持板と、該支持板の前面に装着され、モニターを角度調整自在に装着せしめるブラケットとからなり、支持板と前記昇降装置とが開口部を介して固定される請求項１記載のモニタースタンド。
【請求項３】
前記昇降装置は、前記スライド基盤の支持板に連結され前記支柱内部に沿って上下移動する連結体と、該連結体に設けられたガススプリングと、からなり、ガススプリング操作用のペダルを支柱の下端部に配し、該ペダルの操作でガススプリングの伸縮ロッドが伸長し、連結体に連結したスライド基盤の高さを調整するように設けられた請求項１又は２記載のモニタースタンド。
【請求項４】
前記支柱は、キャスター付きの脚体に立設され、該支柱の開口部に、作業用のトレイが装着された請求項１記載のモニタースタンド。
【発明の詳細な説明】
【技術分野】
【０００１】
本発明は、大型モニター等を昇降自在に支持し、オフィスでのミーティングや会議室などで使用するのに好適なモニタースタンドに関するものである。
【背景技術】
【０００２】
従来のモニタースタンドとして、たとえば特許文献１乃至３に記載されたスタンドが提案されている。
【０００３】
特許文献１のスタンドは、モニター側からの荷重により伸張する引張バネを使用することで、モニターの高さを調整自在に支持するものである。このスタンドによると、
モニターが取り付けられるスライド体と、一端が支持体に係止され、他端がスライド体に係止されて、モニター側からの荷重によりスライド体が支持体に接近する方向にスライドすることにより伸張する引張バネと、支持体とスライド体との間に配設され、スライド体を支持体に対するスライド位置で停止させる摩擦材とを具えた構成になっている。
【０００４】
特許文献２に記載されたスタンドは、大型のフラットパネルディスプレイの高さやチルト角を簡便に変更調整することができるようにしている。すなわち、フラットパネルディスプレイの高さやチルト角を変更調整する作業に際して、取付台の左右に突設されたハンドルを持つことによってスタンド本体から独立して取付台を支持する構成を採用している。
【０００５】
特許文献３に記載のスタンドは、サイズの異なる薄型ディスプレイに対して、一種類の取り付け装置で対応することができるようにしたスタンドである。引用文献３では、自立する支柱の前面に固定した取付けブラケットに、薄型ディスプレイのサイズに共通のベースフレームを縦横に取付け方向の向きが選択可能となるよう取付け、薄型ディスプレイの背面に固定する一対のアタッチメントを平行状態で前記ベースフレームの張り出し部にボルトで固定したものである。
【特許文献１】特開２００４−７７７１０号公報
【特許文献２】特開２００５−１０８９７４号公報
【特許文献３】実用新案登録第３１０３３９０号公報
【発明の開示】
【発明が解決しようとする課題】
【０００６】
特許文献１のスタンドは、モニター側からの荷重により伸張する引張バネと、スライド体を支持体に対するスライド位置で停止させる摩擦材とを利用してスタンドの高さを調整するものであるため、このモニター側の荷重と引張バネとの調整作業や、摩擦材の選定作業などが困難になる虞があった。しかも、引張バネや摩擦材を選定した後は、荷重が異なる他のモニターを支持することができなくなるといった不都合もある。
【０００７】
また、特許文献２に記載のスタンドは、取付台の左右に突設されたハンドルを持つことによって、スタンド本体から独立して取付台を支持する構成を採用している。したがって、モニターを装着した取付台の高さやチルト角度を調整するのに、このハンドルを持って操作することになる。この結果、大型で重量のあるモニターを装着した場合に、このハンドル操作が困難になる虞がある。しかも、スタンドに予め架設した複数本の横メンバーを選択して取付台を係止する構造なので、取付台の高さ調節は、この横メンバーが架設されている範囲に限定されている。
【０００８】
更に、特許文献３に記載のスタンドは、サイズの異なる薄型ディスプレイに対して、一種類の取り付け装置で対応することができる。ところが、薄型ディスプレイを上下にスライド調整する際は、縦パイプにねじを締付ける構造なので、大型のモニター等を支持するには安全性の課題を残すものである。
【０００９】
そこで本発明は上述の課題を解消すべく創出されたもので、大型のモニター等を昇降自在に支持する際に、この昇降操作を広範囲で安全、且つ確実に行うことができるモニタースタンドの提供を目的とするものである。
【課題を解決するための手段】
【００１０】
本発明の第１の手段は、自立する中空状の支柱１０に薄型のモニターＰを昇降自在に装着するモニタースタンドにおいて、支柱１０の前面に長手方向に沿った開口部１１を形成し、該開口部１１の前面に沿って上下スライド自在に装着されるスライド基盤２０を設け、一方、支柱１０の内部に昇降装置３０を装着し、該昇降装置３０にスライド基盤２０を連結してスライド基盤２０を昇降自在に支持すると共に、スライド基盤２０の前面にモニターＰを装着したことことにある。
【００１１】
第２の手段の前記スライド基盤２０は、前記支柱１０の開口部１１前面に沿って設けられた左右一対の支持レール１５にスライド自在に係合する支持板２１と、該支持板２１の前面に装着され、モニターＰを角度調整自在に装着せしめるブラケット２２とからなり、支持板２１と前記昇降装置３０とが開口部１１を介して固定されるものである。
【００１２】
第３の手段の前記昇降装置３０は、前記スライド基盤２０の支持板２１に連結され前記支柱１０内部に沿って上下移動する連結体３１と、該連結体３１に設けられたガススプリング３２と、からなり、ガススプリング３２操作用のペダル３４を支柱１０の下端部に配し、該ペダル３４の操作でガススプリング３２の伸縮ロッド３３が伸長し、連結体３１に連結したスライド基盤２０の高さを調整するように設けられている。
【００１３】
第４の手段の前記支柱１０は、キャスター４１付きの脚体４０に立設され、該支柱１０の開口部１１に、作業用のトレイ１４を装着したことを課題解消のための手段とする。
【発明の効果】
【００１４】
本発明の請求項１により、支柱１０内部に装着された昇降装置３０にスライド基盤２０を連結して昇降自在に支持すると共に、スライド基盤２０の前面にモニターＰを装着したことにより、昇降装置３０が外部に露出しないので、常に安全且つ確実な昇降操作を行うことができる。
【００１５】
請求項２により、スライド基盤２０は、前記支柱１０の開口部１１前面に沿って設けられた左右一対の支持レール１５にスライド自在に係合する支持板２１と前記昇降装置３０とが開口部１１を介して固定されるものであるから、スライド基盤２０に装着したモニターＰの荷重を支持レール１５に分散することができる。この結果、大型のモニターＰでも支持レール１５に沿って昇降自在に支持することが可能になった。また、支持板２１の前面に装着されたブラケット２２により、このブラケット２２に適応した各種のモニターＰを選択自在に装着することができる。
【００１６】
請求項３では、前記昇降装置３０が、支柱１０内部に沿って上下移動する連結体３１と、該連結体３１に設けられたガススプリング３２とを有し、支柱１０の下端部に設けられたペダル３４の操作でスライド基盤２０の高さを調整するものなので、モニターＰの高さ調整作業が極めて容易で、安全且つ確実に行うことができる。したがって、モニターＰの高さ調整は、座りながらでも、立ちながらでも操作することが可能になり、モニターＰの高さを、最も目線に適した位置に調整することができる。更に、ガススプリング３２が支持可能な範囲において、装着するモニターＰの重量やサイズを変更することも可能である。また、ガススプリング３２の伸長範囲での高さ調整ができるので、昇降範囲が広がる効果もある。
【００１７】
請求項４により、支柱１０は、キャスター４１付きの脚体４０に立設されているので、自由に移動することができる。また、前記支柱１０の開口部１１に、作業用のトレイ１４を装着することで、このトレイ１４にパソコンや各種機材等を載置することも可能である。これらの構成が、本発明スタンドの汎用性を高めることができる。
【００１８】
このように、本発明によると、大型のモニター等を昇降自在に支持する際に、昇降操作を広範囲で安全、且つ確実に行うことができるなどといった有益な種々の効果を奏するものである。
【発明を実施するための最良の形態】
【００１９】
本発明の最良の形態は、中空状の自立する支柱１０にモニターＰを昇降自在に装着する構造とする。支柱１０前面に長手方向に沿った開口部１１を形成する。該開口部１１に沿って上下スライド自在に装着されるスライド基盤２０を設ける。該スライド基盤２０を支柱１０内部に装着された昇降装置３０に連結して昇降自在に支持する。スライド基盤２０の前面に薄型のモニターＰを装着する。スライド基盤２０は支持板２１とブラケット２２とからなる。支持板２１は、前記支柱１０の開口部１１前面に沿って配される。ブラケット２２は、支持板２１の前面に装着され、モニターＰを装着せしめる。前記昇降装置３０の連結体３１に支持板２１が固定される。この昇降装置３０は、前記スライド基盤２０に連結される。そして、支柱１０内部に沿って上下移動する連結体３１と、該連結体３１の下部に設けられたガススプリング３２と、からなる。支柱１０の下端部に設けられたペダル３４の操作でガススプリング３２の伸縮ロッド３３が伸長するように設けることで、当初の目的を達成するものである。
【実施例】
【００２０】
本発明スタンドは、例えば、液晶等を利用した２０インチ〜５０インチ等の薄型モニターＰを昇降自在に支持するもので、支柱１０、スライド基盤２０、昇降装置３０、脚体４０を基本構成とするものである（図１参照）。
【００２１】
支柱１０は、中空状のアルミ材やステンレス材等金属材で形成される。この自立する支柱１０前面に、モニターＰを昇降自在に装着する。すなわち、支柱１０前面に、支柱１０の長手方向に沿った開口部１１を形成し、この開口部１１に沿って上下スライド自在に装着されるスライド基盤２０を設けている（図２参照）。更に、このスライド基盤２０の前面に、モニターＰを装着するものである（図４参照）。
【００２２】
図示の支柱１０は、キャスター４１付きの脚体４０に立設され、支柱１０前面に、作業用のトレイ１４を装着することができる（図１参照）。更に、支柱１０と脚体４０との連結強度を高めるために、断面略倒コ字形状の補強立板４２を脚体４０上に立設し、該補強立板４２の間に支柱１０を連結支持するように設けている（図２、３参照）。この他、ケーブルボックスやＣＰＵ収納棚など、任意の部材を支柱１０に装着することも可能である（図示せず）。
【００２３】
スライド基盤２０は、支柱１０内部に装着された昇降装置３０に連結され、昇降装置３０の昇降に伴って上下にスライドする部材である。このスライド基盤２０は、支持板２１とブラケット２２とを有している（図２参照）。支持板２１は、略帯板形状を成し、支柱１０の開口部１１前面に沿って設けられた左右一対の支持レール１５にスライド自在に係合するように設けられている。この支持レール１５は、開口部１１の開口縁に沿って固定されており、該支持レール１５に係合した状態で、支持板２１が上下にスライドするものである。このとき、支持板２１の係合手段は、支持レール１５の内側に支持板２１を係合する手段や、支持板２１と支持レール１５とに凹凸を形状し、これらを係合する手段（図示せず）など、現在知られている任意の係合手段を選択することができる。
【００２４】
一方、ブラケット２２は、該支持板２１の前面に装着され、モニターＰを角度調整自在に支持するものである（図４参照）。そして、支持板２１と、支柱１０内に装着された昇降装置３０の連結体３１とが開口部１１を介して固定されている（図６参照）。モニターＰの装着にブラケット２２を介することで、たとえば、オフィスなどのミーティングにモニターＰを使用する際は、モニターＰを下向きに調整し、会議室などではモニターＰを上向きにするなどの調整によりモニターＰを見易くすることができる。
【００２５】
図１及び図４乃至図６に示すブラケット２２は、モニターＰの上下角度を調整するブラケット２２を示している。また、図８に示すブラケット２２は、特に大型のモニターＰを支持するもので、横板２２Ａと、この横板２２Ａの左右に一対設けられ、上下の角度調整自在な縦杆２２Ｂとで構成されている。更に、図９に示すブラケット２２は、上下の角度調整に加え、左右の角度調整が自在なブラケット２２を示している。このように、ブラケット２２の種類や形状は、装着するモニターＰに合わせて任意のブラケット２２を選択使用することができる。
【００２６】
昇降装置３０は、中空の支柱１０内に装着される装置で、連結体３１と、ガススプリング３２とを有している。図示例の連結体３１は、支柱１０の内部に設けられたスライド溝１２に沿って上下移動する（図６参照）。この連結体３１の前面には、支柱１０の開口部１１を介してスライド基盤２０の支持板２１が連結される。したがって、昇降装置３０の連結体３１が上下移動するに連れて、スライド基盤２０の支持板２１も上下するものである（図４、図５参照）。
【００２７】
一方、ガススプリング３２は、支持板２１を上下移動せしめるもので、該連結体３１に設けられている（図４参照）。図示例のガススプリング３２は、伸縮ロッド３３が下向きに延びるように装着すると共に、ガススプリング３２操作用のペダル３４を支柱１０の下端部に配している（図５参照）。すなわち、ガススプリング３２から、ペダル３４にかけて、操作用のワイヤー３５を連結してあり、このペダル３４を踏んでいる間にガススプリング３２の伸縮ロッド３３が伸長するものである（図７参照）。伸長した伸縮ロッド３３を基の長さに戻すには、ペダル３４を再び踏みながらガススプリング３２を強制的に押し下げるものである。実際の操作としては、モニターＰの荷重がガススプリング３２に加わっているので、このモニターＰを持って押し下げる操作となる。つまり、ペダル３４を踏み込んだ状態でモニターＰを押し下げることで、簡単にモニターＰの高さを調整することができる。
【００２８】
尚、本発明における図示例の各構成は、本発明の一実施例に過ぎず、例えばガススプリング３２を油圧スプリングに変更することは勿論、支柱１０、スライド基盤２０、昇降装置３０の設計変更、形態の変更など、現在知られている技術範囲で自由に変更することができるものである。
【図面の簡単な説明】
【００２９】
【図１】本発明の一実施例を示す斜視図である。
【図２】本発明の一実施例を示す正面図である。
【図３】本発明の一実施例を示す平断面図である。
【図４】本発明の一実施例を示す要部側断面図である。
【図５】本発明のスライド基盤を移動した状態を示す要部側断面図である。
【図６】本発明のスライド基盤と昇降装置とを示す要部側断面図である。
【図７】本発明の昇降装置とペダルとを示す要部側断面図である。
【図８】本発明の他の実施例を示す斜視図である。
【図９】本発明のブラケットの他の実施例を示す斜視図である。
【符号の説明】
【００３０】
Ｐ  モニター
１０  支柱
１１  開口部
１２  スライド溝
１３  閉塞板
１４  トレイ
１５  支持レール
２０  スライド基盤
２１  支持板
２２  ブラケット
２２Ａ  横板
２２Ｂ  縦杆
３０  昇降装置
３１  連結体
３２  ガススプリング
３３  伸縮ロッド
３４  ペダル
３５  ワイヤー
４０  脚体
４１  キャスター
４２  補強立板
【図１】
2007322592.tif 000003
【図２】
2007322592.tif 000004
【図３】
2007322592.tif 000005
【図４】
2007322592.tif 000006
【図５】
2007322592.tif 000007
【図６】
2007322592.tif 000008
【図７】
2007322592.tif 000009
【図８】
2007322592.tif 000010
【図９】
2007322592.tif 000011